(57)【要約】【課題】、乗りかごの荷物を確実に検知できるとともに、荷物の搬出階におけるドアの開延長を実施させることができるエレベーターの提供。【解決手段】本発明に係るエレベーターは、エレベーター制御装置７が、撮影装置３で撮影した画像により乗りかご１の内部の検知物を認識する処理を行う画像処理部８と、この画像処理部８で認識した検知物が荷物２かどうかを、乗りかご１が出発してから予め設定された所定時間後に、例えば３秒後に、荷物２を搬入する台車２ａに係わることなく判定する荷物判定部９とを有し、荷物判定部９で荷物２が乗りかご１の内部に存在すると判定された場合に、荷物２の搬出階におけるドアの開延長を例えば自動的に実施する処理を行う。【選択図】図１
2017114586.tif 000002
【特許請求の範囲】
【請求項１】
乗りかごの運行を制御するエレベーター制御装置と、前記乗りかごの内部を撮影する撮影装置とを有するエレベーターにおいて、
前記エレベーター制御装置は、
前記撮影装置が撮影した画像により前記乗りかごの内部の検知物を認識する処理を行う画像処理部と、前記画像処理部で認識した前記検知物が荷物かどうかを前記乗りかごが出発してから予め設定された所定時間後に、前記荷物を運搬する台車に係わることなく判定する荷物判定部とを有し、
前記荷物判定部で前記荷物が前記乗りかごの内部に存在すると判定された場合に、前記荷物の搬出階における前記ドアの開延長を可能にさせる処理を行うことを特徴とするエレベーター。
【請求項２】
請求項１に記載のエレベーターにおいて、
前記エレベーター制御装置は、前記荷物判定部で前記荷物が存在すると判定されたときに、前記ドアの開延長を自動的に実施させる処理を行うことを特徴とするエレベーター。
【請求項３】
請求項１に記載のエレベーターにおいて、
前記乗りかごの内部に報知装置を設け、
前記エレベーター制御装置は、前記報知装置から乗客に対し、前記乗りかごの内部の操作盤のボタン操作に応じて前記ドアの開延長が可能となる旨の音声案内を実施させる処理を行うことを特徴とするエレベーター。
【請求項４】
請求項１〜３のいずれか一項に記載のエレベーターにおいて、
前記エレベーター制御装置の前記荷物判定部は、前記画像処理部で認識された前記検知物の前記乗りかごの出発後の画像と出発前の画像とを比較することにより、前記荷物が存在するかどうか判定するものから成ることを特徴とするエレベーター。
【請求項５】
請求項１〜３のいずれか一項に記載のエレベーターにおいて、
前記乗りかごの内部に、前記検知物の温度を検出する温度センサを設け、
前記エレベーター制御装置の前記荷物判定部は、前記温度センサで検出された前記検知物の温度に基づいて、前記荷物が存在するかどうか判定するものから成ることを特徴とするエレベーター。
【請求項６】
請求項１〜３のいずれか一項に記載のエレベーターにおいて、
前記エレベーター制御装置の前記荷物判定部は、前記検知物に対して顔認証することにより、前記荷物が存在するかどうか判定するものから成ることを特徴とするエレベーター。
【発明の詳細な説明】
【技術分野】
【０００１】
本発明は、乗りかご内に搬入される荷物を撮影する撮影装置を備えたエレベーターに関する。
【背景技術】
【０００２】
特許文献１に、乗りかごに荷物を搬入する際に、乗場に待機する運搬台車と荷物をカメラで撮影することにより、荷物が乗りかごに搬入されることを認識することができるエレベータが提案されている。
【０００３】
この従来技術は、荷物を乗せた運搬台車を乗りかごに搬入する際の運搬台車の車輪部分の荷重が、かご床に対して集中的に作用する事象を解消することを目的とした発明である。この従来技術は、運搬台車による集中荷重を制限するため、カメラの撮影画像により荷物が搬入されると判断した場合に、定格荷重を制限することで、荷物搬入時のかご床の変形や破損を防止するものである。
【先行技術文献】
【特許文献】
【０００４】
【特許文献１】特開２０１３−２４１２２９号公報
【発明の概要】
【発明が解決しようとする課題】
【０００５】
特許文献１に開示された従来技術にあっては、乗りかごへの荷物の搬入が検知された場合に、乗りかご内の操作盤にドアの開延長ボタンを備えていないエレベーターにあって、荷物の搬出階のドア開閉制御をどのようにするかについては考慮がなされていなかった。また、この従来技術では、運搬台車と荷物が撮影された場合に荷物と認識することはできるが、運搬台車が荷物によって隠されて運搬台車を撮影できない場合とか、手押し部分が無い台車で荷物を搬入する場合には、乗りかごの内部への荷物の搬入を認識できない懸念がある。
【０００６】
上記課題を解決するために、本発明の目的は、乗りかごの荷物を確実に検知できるとともに、荷物の搬出階におけるドアの開延長を実施させることができるエレベーターを提供することにある。
【課題を解決するための手段】
【０００７】
上記課題を解決するために、本発明に係るエレベーターは、乗りかごの運行を制御するエレベーター制御装置と、前記乗りかごの内部を撮影する撮影装置とを有するエレベーターにおいて、前記エレベーター制御装置は、前記撮影装置が撮影した画像により前記乗りかごの内部の検知物を認識する処理を行う画像処理部と、前記画像処理部で認識した前記検知物が荷物かどうかを前記乗りかごが出発してから予め設定された所定時間後に、前記荷物を運搬する台車に係わることなく判定する荷物判定部とを有し、前記荷物判定部で前記荷物が前記乗りかごの内部に存在すると判定された場合に、前記荷物の搬出階における前記ドアの開延長を可能にさせる処理を行うことを特徴としている。
【発明の効果】
【０００８】
本発明に係るエレベーターによれば、エレベーター制御装置の画像処理部で認識した検知物に基づく荷物判定部の判定によって、荷物を運搬する台車に係わることなく乗りかごの荷物を確実に検知でき、エレベーター制御装置によって荷物の搬出階におけるドアの開延長を可能にさせることができる。
【０００９】
これにより本発明は、搬出階における荷物の搬出作業に際して十分な作業時間を確保でき、荷物の搬出作業を従来よりも能率良く、また安全に行うことができる。また、荷物の搬出作業に応じたドアの開延長時間とすることができるので、荷物と共に乗りかごに乗り込んでいる乗客に対する利便性を、従来よりも向上させることができる。前述した以外の課題、構成及び効果は、以下の実施形態の説明により明らかにされる。
【図面の簡単な説明】
【００１０】
【図１】本発明に係るエレベーターの一実施形態の要部構成を示す図である。
【図２】本実施形態に備えられるエレベーター制御装置の処理動作を中心とした荷物検知手順のフローチャートである。
【図３】本実施形態に備えられるエレベーター制御装置の荷物判定部において行われる荷物の判定を説明する図で、（ａ）図は乗りかごに荷物を搬入したときの状態を示す図、（ｂ）図は荷物の存在の有無の判定時の状態を示す図である。
【発明を実施するための形態】
【００１１】
以下、本発明に係るエレベーターの実施の形態を図面に基づいて説明する。
【００１２】
図１は、本発明に係るエレベーターの一実施形態の要部構成を示す図である。
【００１３】
この図１は、乗りかご１に乗客が荷物２を台車２ａに乗せて乗り込んでいる状態を示している。乗りかご１には、この乗りかご１の内部を撮影する撮影装置３を設けてある。また、行先階を登録する行先階ボタン、ドアを強制的に開閉する開ボタン及び閉ボタンを有する操作盤４を設けてある。本実施形態に係るエレベーターは例えば操作盤４に、乗りかご１が乗り場に到着した際に乗りかご１のドア、及び乗り場のドアを開延長させる開延長ボタンは備えられていない。また、乗りかご１の上には、ドアを開閉させるドア駆動モータ５、及びドア駆動モータ５を制御するドア制御装置６を設けてある。
【００１４】
また、乗りかご１の運行やドアの開閉を制御するエレベーター制御装置７を、機械室等の所定の場所に設置してある。
【００１５】
本実施形態に備えられるエレベーター制御装置７は、撮影装置３で撮影した画像により乗りかご１の内部の人物及び荷物２を含む検知物を認識する処理を行う画像処理部８と、この画像処理部８で認識した検知物が荷物２かどうかを、乗りかご１が出発してから予め設定される所定時間後に、荷物２を搬入する台車２ａに係わることなく判定する荷物判定部９とを有している。
【００１６】
荷物判定部９は例えば、画像処理部８で認識された検知物の乗りかご１の出発後の画像と出発前の画像とを対比することにより、荷物２が存在するかどうか判定するものから成る。
【００１７】
エレベーター制御装置７は、荷物判定部９で荷物２が存在すると判定された場合に、荷物２の搬出階におけるドアの開延長を可能にさせる処理を行う。例えば本実施形態にあっては、エレベーター制御装置７は、荷物判定部９で荷物２が存在すると判定されたときに、ドアの開延長を自動的に実施させる処理を行う。
【００１８】
また、エレベーター制御装置７は、荷物２を乗りかご１に乗せた乗客が呼び登録したことを、すなわち搬出階である行先階を操作盤４の行先階ボタンの操作によって登録したことを認識するドア開閉制御部１０も有している。
【００１９】
図２は、本実施形態に備えられるエレベーター制御装置の処理動作を中心とした荷物検知手順のフローチャートである。以下、図２に基づいて本実施形態の処理動作について説明する。
【００２０】
ステップＳ１：乗りかご１が所定階に到着して、台車２ａに荷物２を乗せて乗客が乗りかご１に乗り込む。
【００２１】
ステップＳ２：荷物２を乗りかご１に乗せた乗客が、操作盤４の行先階ボタンを操作して荷物２の搬出階を呼び登録する。このとき、呼び登録された搬出階の情報は、エレベーター制御装置７のドア開閉制御部１０へ送られる。
【００２２】
ステップＳ３：乗りかご１へ乗り込んだ際の乗客及び荷物２の動きのある画像、すなわち乗りかご１の出発前の画像が撮影装置３で撮影される。このとき画像処理部８は、動きがある画像の領域を複数の検知物が存在すると認識する。
【００２３】
動き検知技術は公知であり、例えば背景差分がある。この方法は、あらかじめ背景画像を取得して置き、ある時点において観測した画像と背景画像の差分を取ることで、動体検知を行う方法である。画像処理部８は、人物や荷物２を、それぞれ検知物として認識する。このときは、動きのある画像を単に検知物として認識するのみであり、検知物が荷物２か、荷物以外のものである人物かの判定は行わない。この状態で、ドアが閉じられ、乗りかご１は出発する。
【００２４】
ステップＳ４：荷物判定部９は、乗りかご１の出発後の一定時間内に、すなわち乗りかご１が出発してから予め設定された所定時間後、例えば乗りかご１内の荷物２が静止した状態になると推定される乗りかご１の出発時から３秒後に、画像処理部８によって複数認識した乗りかご１の出発前の検知物の画像すなわち出発直前の画像と、乗りかご１が出発してから３秒後に撮影された撮影装置３の画像とに基づいて、検知物にさらに動きがあるかどうかを判定する。なお、所定時間の設定は３秒に限られることはなく、変更が可能である。要するに所定時間は、乗りかご１の乗客全員及び荷物２の画像に対しての荷物判定部９における判定が可能な待機状態となると推定される乗りかご１の出発時からの時間である。
【００２５】
ステップＳ５：荷物判定部９における判定に際し通常、人物であれば多少の動きを生じる。したがって少しでも動きを生じた検知物は、乗客すなわち荷物２以外のものと判定し、少しの動きもない検知物が存在するときには、その検知物は荷物２であると判定し、ステップＳ６へ進む。なお、前述のステップＳ４において、全ての検知物が動きを生じた検知物と判定されたときには、乗りかご１内に荷物２が存在せず、処理は終了する。
【００２６】
ステップＳ６：荷物２の運搬中である旨の情報がドア開閉制御部１０へ送られる。ドア開閉制御部１０は、荷物２の搬入時に登録した搬出階に乗りかご１が到着した際のドア開時間を延長させるための処理を行う。
【００２７】
ステップＳ７：乗りかご１が搬出階に到着すると、ドア開閉制御部１０の処理制御に応じた信号がドア制御装置６に出力され、ドア駆動モータ５が作動して乗りかご１のドア及び乗り場のドアが開かれる。またドアが閉じられる際には、ドア開閉制御部１０の指令に応じてドア制御装置６は、延長させたドアの開時間の経過後にドアを閉じるようにドア駆動モータ５を作動させる。したがって、台車２ａに乗せた荷物２を扱う乗りかご１の乗客は、乗り場へ余裕をもって、あせることなく荷物２を搬出させることができる。
【００２８】
図３は、本実施形態に備えられるエレベーター制御装置の荷物判定部において行われる荷物の判定を説明する図で、（ａ）図は乗りかごに荷物を搬入したときの状態を示す図、（ｂ）図は荷物の存在の有無の判定時の状態を示す図である。
【００２９】
前述したステップＳ３及びステップＳ４の処理について再度説明すると、図３の（ａ）図に示すように、乗りかご１に乗り込んだ検知物Ａ，Ｂ，Ｃの存在が撮影装置３で撮影された画像に基づいて画像処理部８によって認識される。前述したようにこのときには、検知物Ａ，Ｂ，Ｃが荷物２なのか、荷物２以外の人物なのかの判定は行わない。
【００３０】
図３の（ｂ）図に示すように、乗りかご１が出発してから予め設定された所定時間後、例えば３秒後に、撮影装置３で撮影されるその時点の画像における検知物Ａ，Ｂ，Ｃの動きに基づいて、荷物判定部９は、検知物Ａ，Ｂ，Ｃが荷物２か、荷物２以外の人物かを判定する。検知物Ａ，Ｂは動きがあるので荷物２以外の人物、すなわち乗客と判定され、検知物Ｃは動きがないので荷物２と判定される。
【００３１】
以上のように構成した本実施形態に係るエレベーターによれば、前述のようにエレベーター制御装置７の画像処理部８で認識した検知物Ａ，Ｂ，Ｃに基づく荷物判定部９の判定によって、荷物２を運搬する台車２ａに係わることなく乗りかご１の荷物２を確実に検知でき、エレベーター制御装置７によって荷物２の搬出階におけるドアの開延長を自動的に実施することができる。すなわち、操作盤４に開延長ボタンを備えていない本実施形態に係るエレベーターにあって、荷物２の運搬時にはドアの開延長を自動的に実施することができる。
【００３２】
これにより本実施形態は、搬出階における荷物２の搬出作業に際して十分な作業時間を確保でき、この荷物２の搬出作業を能率良く、また安全に行うことができる。また、荷物２の搬出作業に応じた開延長時間とすることができるので、荷物２と共に乗りかご１に乗り込んでいる乗客に対する利便性を向上させることができる。
【００３３】
すなわち、荷物２を搬出階で降ろす乗客は、前述したように荷物２の搬出作業を余裕をもって行うことができる。また、荷物２の搬出階で降りる他の乗客は、荷物２の搬出前に乗り場に降りることができ、あるいは荷物２の搬出後にドアが閉じられることなく続いて乗り場に降りることができる。また、荷物２の搬出階で降りない他の乗客は例えば、荷物２の搬出作業の支障とならない乗りかご１内の位置に余裕をもって移動することができる。
【００３４】
また、本実施形態は、エレベーター制御装置７における機能を、荷物判定部９が乗りかご１内に荷物２が存在すると判定した場合にのみ有効としてあるので、乗りかご１内に荷物２が存在しないときの不要なドアの開延長を防ぐことができる。
【００３５】
なお、前述した実施形態にあっては、エレベーター制御装置７が、荷物判定部９で乗りかご１の内部に荷物２が存在すると判定されたときに、ドアの開延長を自動的に実施させる処理を行う構成となっているが、本発明は、このように構成することには限られない。例えば、乗りかご１の内部に報知装置を設け、エレベーター制御装置７は乗りかご１の搬出階への到着時に報知装置から乗客に対し、乗りかご１の操作盤４のボタン操作に応じてドアの開延長が実施される旨の音声案内を報知させる処理を行う構成にしてもよい。例えば搬出階への到着時に、エレベーター制御装置７は報知装置を作動させて、「開ボタンを２度押しするとドア開時間を１０秒延長します。」という音声案内を実施させる処理を行なわせるようにしてもよい。
【００３６】
このように構成したものでは、前述した実施形態と同様に開延長ボタンを備えていない乗用のエレベーターにおいて、荷物２を運搬する場合においてもドア開延長機能を確保できる。
【００３７】
また、前述した実施形態では、エレベーター制御装置７の荷物判定部９は、画像処理部８で認識された検知物の乗りかご１の出発後の画像と出発前の画像とを比較することにより、荷物２が存在するかどうか判定する構成にしてあるが、本発明は、荷物判定部９をこのように構成することには限定されない。
【００３８】
乗りかご１の内部、例えば天井部に、検知物のそれぞれの温度を検出する温度センサを設け、温度センサで検出された検知物のそれぞれの温度に基づいて、荷物２が存在するかどうか判定する構成にしてもよい。すなわち、検知物のそれぞれの温度を温度センサで検出し、所定の閾値温度以下の温度となる検知物が存在するときに、その検知物は荷物２であると判定するようにしてもよい。
【００３９】
また、エレベーター制御装置７の荷物判定部９を、検知物に対して公知の顔認証技術を採用して、荷物２が存在するかどうか判定する構成にしてもよい。すなわち、撮影装置３によって撮影された画像に対し顔認証し、顔認証ができない検知物を荷物２と判定するようにしてもよい。
【００４０】
本発明は前述した実施形態に限定されず、本発明の要旨を逸脱しない範囲で種々の変形が可能であり、特許請求の範囲に記載された技術思想に含まれる技術的事項の全てが本発明の対象となる。前述した実施形態は、好適な例を示したものであるが、当業者ならば、本明細書に開示の内容から、各種の代替例、修正例、変形例あるいは改良例を実現することができ、これらは添付の特許請求の範囲に記載された技術的範囲に含まれる。
【符号の説明】
【００４１】
１・・乗りかご、２・・荷物、２ａ・・台車、３・・撮影装置、４・・操作盤、５・・ドア駆動モータ、６・・ドア制御装置、７・・エレベーター制御装置、８・・画像処理部、９・・荷物判定部、１０・・ドア開閉制御部、Ａ，Ｂ，Ｃ・・検知物
【図１】
2017114586.tif 000003
【図２】
2017114586.tif 000004
【図３】
2017114586.tif 000005